(57)【要約】【課題】フード等の光制御部材を、灯体との位置合わせ・固定操作の作業を行うことなくあるいは少しの作業で取り付けることができ、また灯体側にバッフル以外の特別な加工を必須としない照明器具及びそのための光制御部材を提供すること。【解決手段】光出射開口及び光源を備える灯体と、光出射開口に着脱可能に取り付けられる光制御部材を有する照明器具であって、灯体の光出射開口近傍には光軸に直交する面に沿って溝が形成されたバッフルが設けられ、光制御部材は、上側部及び上側部に接続した爪部を備え、爪部には突起が設けられ、突起がバッフルの溝に嵌め込まれることにより、光制御部材が灯体に取り付けられる。【選択図】図１
2019029147.tif 000002
【特許請求の範囲】
【請求項１】
光出射開口及び光源を備える灯体と、前記光出射開口に着脱可能に取り付けられる光制御部材を有する照明器具であって、
前記灯体の光出射開口近傍には光軸に直交する面に沿って溝が形成されたバッフルが設けられ、
前記光制御部材は、上側部及び前記上側部に接続した爪部を備え、
前記爪部には突起が設けられ、
前記突起が前記溝に嵌め込まれることにより、前記光制御部材が前記灯体に取り付けられることを特徴とする照明器具。
【請求項２】
前記灯体は光軸を備え、前記光軸の光出射方向を前とし、
前記突起は前面及び後面を備え、
前記前面の前記光軸に対する角度が８０°以上１００°以下であり、前記後面の前記光軸に対する角度が３０°以上６０°以下である、請求項１に記載の照明器具。
【請求項３】
前記突起の厚さは、前記溝の幅より薄い、請求項１又は２に記載の照明器具。
【請求項４】
前記光制御部材の後側における前記灯体内部にオプション装着部を有する、請求項１から３のいずれか一項に記載の照明器具。
【請求項５】
前記バッフルには、前記突起が不用意に動かないように取り付けられるための深溝を備える、請求項１から４のいずれか一項に記載の照明器具。
【請求項６】
前記バッフルには、前記爪の挿入を容易にするための挿入部を備える、請求項１から５のいずれか一項に記載の照明器具。
【請求項７】
前記光制御部材は、フード、ルーバ―、フィルター又は光散乱板である、請求項１から６のいずれか一項に記載の照明器具。
【請求項８】
照明器具の灯体の光出射開口に取り付けられる光制御部材であって、
前記灯体の光出射開口近傍には光軸に直交する面に沿って溝が形成されたバッフルが設けられ、
前記光制御部材は、上側部及び前記上側部に接続した爪部を備え、
前記爪部には突起が設けられ、
前記突起が前記溝に嵌め込まれて、前記光制御部材が前記灯体に取り付けられることを特徴とする光制御部材。
【発明の詳細な説明】
【技術分野】
【０００１】
本発明は、スポットライト型照明器具などに用いられるフード等の着脱可能な光制御部材を用いた照明器具に関する。
【背景技術】
【０００２】
例えば商品の販売を促進するため、展示されている商品に光を当てて商品の存在及び魅力を強調する照明が行われる場合がある。照明領域の周辺部の光をカットし商品を際立たせるためなどの目的で、スポットライトの先端にフードを被せることがある。
【０００３】
特許文献１に記載の枠（フード）はＬ字型のスリットを備え、灯体側につまみねじを備える。両者を結合するため、スリットをつまみねじに通し、フードを回動して灯体と取り付け、つまみねじを締めつけて両者を固定する。
【０００４】
特許文献２に記載のカバー部材（フード）はガイド溝が設けられ、ハウジング部材（灯体）のガイド突起をフードのガイド溝に挿入し、フードを回動させることによりフードを装着する。その際フードが逆に回動し灯体から離脱することを防止するため、灯体端部に突出するロック機構が設けられ、フードの離脱を解除可能に規制している。
【０００５】
照明器具の光出射部には、フード以外にも、グレアカットのためのルーバ―やフィルターなどの着脱可能な光制御部材が装着されることがある。特許文献３においては、照明器具の光出射部の前方にルーバ―付フードが装着されている。
【先行技術文献】
【特許文献】
【０００６】
【特許文献１】特開２００５−３１７４６４号公報
【特許文献２】特開２００５−１９０３９号公報
【特許文献３】ＷＯ２０１６／０３１９５７
【発明の概要】
【発明が解決しようとする課題】
【０００７】
照明器具用フードは、照明器具が高所に取り付けられることに鑑み、簡単に（例えば片手でも）灯体に装着可能であり、装着作業中に落下しても割れない耐久性を備え、装着後は簡単に外れず、軽量であり、発熱する照明器具に近い部分に設置するため耐熱性に優れることに加え、できることなら灯体側の加工を要せず多くの灯体に取り付け可能であるなどの特性を総合的に満たすことが望ましい。
【０００８】
特許文献１、２に記載の照明器具用フードは、灯体側の突起に位置合わせをしてフードの溝を取り付ける必要があるため、高所での取り付けにやや難があった。また灯体側にあらかじめ突起を設けておく必要があった。
【０００９】
本発明では、フード等の光制御部材を、灯体との位置合わせ・固定操作の作業を行うことなくあるいは少しの作業で取り付けることができ、また灯体側にバッフル以外の特別な加工を必須としない照明器具及びそのための光制御部材を提供することを目的とする。
【課題を解決するための手段】
【００１０】
本発明は、光出射開口及び光源を備える灯体と、前記光出射開口に着脱可能に取り付けられる光制御部材を有する照明器具であって、前記灯体の光出射開口近傍には光軸に直交する面に沿って溝が形成されたバッフルが設けられ、前記光制御部材は、上側部及び前記上側部に接続した爪部を備え、前記爪部には突起が設けられ、前記突起が前記溝に嵌め込まれることにより、前記光制御部材が前記灯体に取り付けられることを特徴とする照明器具である。
【００１１】
本発明において、前記灯体は光軸を備え、前記光軸の光出射方向を前とし、前記突起は前面及び後面を備え、前記前面の前記光軸に対する角度が８０°以上１００°以下であり、前記後面の前記光軸に対する角度が３０°以上６０°以下であることが好ましい。
【００１２】
本発明において、前記突起の厚さは、前記溝の幅より薄いことが好ましい。
【００１３】
本発明において、前記光制御部材の後側における前記灯体内部にオプション装着部を有することが好ましい。
【００１４】
本発明において、前記バッフルには、前記突起が不用意に動かないように取り付けられるための深溝を備えることが好ましい。
【００１５】
本発明において、前記バッフルには、前記爪の挿入を容易にするための挿入部を備えることが好ましい。
【００１６】
本発明において、前記光制御部材は、フード、ルーバ―、フィルター又は光散乱板であることが好ましい。
【００１７】
本発明は、照明器具の灯体の光出射開口に取り付けられる光制御部材であって、前記灯体の光出射開口近傍には光軸に直交する面に沿って溝が形成されたバッフルが設けられ、前記光制御部材は、上側部及び前記上側部に接続した爪部を備え、前記爪部には突起が設けられ、前記突起が前記溝に嵌め込まれて、前記光制御部材が前記灯体に取り付けられることを特徴とする光制御部材である。
【発明の効果】
【００１８】
本発明によれば、フード等の光制御部材を、灯体との位置合わせ・固定操作の作業を行うことなくあるいは少しの作業で取り付けることができ、また灯体側にバッフル以外の特別な加工を必須としない照明器具とすることができる。
【図面の簡単な説明】
【００１９】
【図１】実施形態１に係る照明器具の側面図及び断面図。
【図２】実施形態１に係るフードの正面図、右側面図及び断面図。
【図３】実施形態１におけるフードとバッフルの結合を説明するための断面図及び断面拡大図。
【図４】実施形態２に係る照明器具の側面図及び断面図。
【図５】実施形態２に係るフードの正面図、右側面図及び断面図。
【図６】実施形態３に係るバッフルの正面図、右側面図及び断面図。
【図７】実施形態４に係るルーバ―付フード及びバッフルの取付状態の斜視図。
【発明を実施するための形態】
【００２０】
以下、本発明の好適な実施形態について、図面を参照しつつ説明する。
【００２１】
＜１．実施形態１＞
図１は実施形態１に係る照明器具１００の側面図及びそのＡ−Ａ線断面図である。説明のため、図１に示す光軸において光の出射方向を「前」、逆方向を「後」、光軸ＡＸに近い側を「内側」、光軸から離れた側を「外側」とする。
【００２２】
図１を参照して、照明器具１００は、着脱式のフード１１０、バッフル１２０、筐体１３０、ジョイント部１４０、アーム１６０などよりなる。バッフル１２０は筐体１３０と一体化され、両者及びジョイント部１４０は灯体１５０を構成し、フード１１０は灯体の光出射開口であるバッフル１２０の先端に接続されている。ジョイント部１４０に対してアーム１６０は回転可能である。アーム１６０の上部は図示しない点灯装置に接続され、点灯装置は天井に設置された図示しないライティングレールに接続されている。
【００２３】
照明器具１００の内部は、断面図に示すように、フード内壁１１１、バッフル内壁１２１、ミラー１３１、レンズ１３２、ＣＯＢ（Ｃｈｉｐ  Ｏｎ  Ｂｏａｒｄ）型のＬＥＤ１３３などよりなる。ＣＯＢ型ＬＥＤは数ミリから数十ミリ径の発光領域を備える。これらの基本構成は光軸ＡＸに対して対称である。
【００２４】
ＬＥＤ１３３の中央から発した光は、フード１１０がない場合、光線ＲＢより内側の光線が照明器具外部に出射する。フード１１０がある場合は、光線ＲＨより内側の光線が照明器具外部に出射する。このようなＬＥＤの中央以外から発する光や、ミラー１３１で反射された光などもある。
【００２５】
図２（ａ）、（ｂ）、（ｃ）はフード１１０の正面図、側面図及びＣ−Ｃ断面図である。フード１１０は、上側部１１２、下側部１１３、２つの爪部１１４からなり、下側部１１３、爪部１１４は上側部１１２に接続されている。爪部１１４と下側部１１３の間にはスリット１１５が設けられ、材料の弾性により爪部１１４が図２（ｂ）の矢印Ｐで示される方向に若干動くようになっている。爪部１１４には外向きに突起である突起１１４Ｔが設けられている。
【００２６】
下側部１１３の下端１１３Ｌと爪部１１４の下端１１４Ｌは光軸方向に直交する同じ面内に設けられており、爪部１１４だけが上側部１１２から突出する構造でないため、フード１１０が万が一落下したときであっても爪部１１４が折れにくい。
【００２７】
フード内壁１１１は、光反射を抑えるために黒塗装がなされ、上下方向に複数の凸部が設けられている。
【００２８】
フード１１０の材料はＰＣ（ポリカーボネート）、ＰＢＴ（ポリブチレンテレフタレート）などの樹脂が用いられる。なお、材料としては爪部１１４が曲げに対して適度の弾性を有しているものであれば、これに限られない。重さは例えば１０ｇ以上４０ｇ以下であり、図１に示したサイズのものでは例えば１５ｇであるが、これに限られない。
【００２９】
フード１１０の外径は例えば７ｃｍであるが、外径３ｃｍから１２ｃｍであれば片手で持って取付作業を行うことができるため好ましい。外径は特に限定はなく、例えば外径２０ｃｍ以上のフードであれば両手で持って取付作業を行えばよい。
【００３０】
図３（ａ）はフード１１０のバッフル１２０への接続を説明するための断面図である。バッフル内壁１２１には複数の溝１２２が設けられている。フード１１０の下側がバッフル１２０の上側に当たると、爪部先端１１４Ｔの爪後面１１４Ｒと各溝１２２の溝後面１２２Ｒ（バッフル１２０の前面にあたるがこのように表記する）の傾斜方向がほぼ同じなので、爪後面１１４Ｒと溝後面１２２Ｒが接触し、すべりにより突起１１４ＴがＰ方向に曲がり、突起１１４Ｔがバッフル１２０の溝１２２に入り両者が締結される。つまりフード１１０をバッフル１２０に押し込む作業だけでフードが取り付けられる。ここで突起１１４Ｔの厚さａが溝の幅ｄ（溝１２２の間隔）より薄く設定されている。このため爪部１１４の先端の厚さによりフード１１０の開口ｄ１がバッフル開口ｄ２に比べて狭まることを極力抑えることができる。
【００３１】
図３（ｂ）はフードがバッフルに取り付けられた状態の断面部分拡大図である。突起１１４Ｔが溝１２２に嵌め込まれている。突起１１４Ｔ溝前面１２２Ｆ、溝後面１２２Ｒの角度は、バッフルとしての機能を満たすように、溝前面１２２Ｆの光軸に対する角度θＦが急峻（例えば８０°以上１００°以下）、溝後面１２２Ｒの光軸に対する角度θＲがなだらか（例えば３０°以上６０°以下、好ましくは４０°以上５０°以下）に設計されている。この角度は爪部１１４との結合にとっても好都合であり、爪前面１１４Ｆ及び爪後面１１４Ｒの角度を溝の角度と揃えることにより、良好な結合が実現できるとともに、一旦取り付け後に両者がはずれにくい。
【００３２】
＜２．実施形態２＞
実施形態２は、フードの爪部の長さが短く、フードの後側における灯体内部にオプション装着部を備える。
【００３３】
図４は実施形態２に係る照明器具２００の側面図及びそのＡ−Ａ線断面図である。照明器具２００は、着脱式のフード２１０、バッフル２２０、筐体２３０、ジョイント部２４０、アーム２６０などよりなる。バッフル２２０は筐体２３０と一体化され、両者及びジョイント部２４０は灯体２５０を構成している。
【００３４】
照明器具２００の内部は、断面図に示すように、フード内壁２１１、溝２２２を備えたバッフル内壁２２１、ミラー２３１、ＣＯＢ（Ｃｈｉｐ  Ｏｎ  Ｂｏａｒｄ）型のＬＥＤ２３３などよりなる。
【００３５】
実施形態２においては、爪部の長さを短くしたために、爪部下端とバッフル下端の間に空間ができる。この空間には、例えばフィルター２２４などのオプションを挿入するオプション装着部２２５とすることができる。
【００３６】
図５はフード２１０の側面図であり、これは、上側部２１２、下側部２１３、爪部２１４からなる。爪部２１４と下側部２１３の間にはスリット２１５が設けられ、材料の弾性により爪部２１４が矢印Ｐで示される方向に若干動くようになっている。爪部２１４には外向きに突起である突起２１４Ｔが設けられている。爪部２１４は爪部１１４に比べて短く、バッフル内の前から２番目の溝２２２（溝凸部の間）に嵌め込まれるようになっている。このように爪部が短いと、溝に嵌め込むために突起を動かす角度を大きくする必要があり、取り付けが難しくなる反面、一旦バッフルの溝に入った後は突起２１４Ｔが溝２２２から外れにくくなる。
【００３７】
なお、本実施形態では、フードをバッフルの２段目の溝に装着したが、１段目の溝に装着してもよい。また１段目の溝に装着するのであれば、バッフルは少なくとも１段の溝があれば足りる。
【００３８】
オプション装着部はバッフル部内に設けたが、灯体内においてバッフル部よりも光源（ＬＥＤ）に近い部分に設けてもよい。
【００３９】
＜３．実施形態３＞
実施形態３は、バッフルに、フードの爪の挿入を容易に行うための挿入部を有し、実施形態２に用いた短い爪のフード２１０が容易に装着できるようにしている。
【００４０】
図６はバッフル３２０の正面図及びＢ−Ｂ断面図である。バッフル３２０には、フードの爪の挿入を容易にするため、溝３２２の凸部がなくされた４カ所の挿入部３２４が設けられている。爪は２カ所であるのに対し、挿入部を４カ所にすることにより、取り付けやすい挿入部を選んで爪を挿入することができ、取り付け作業が簡単になる。ここでは、複数の溝３２２のうち取付部の溝をなす円周の一部には、フード２１０の突起２１４Ｔが不用意に動かないように取り付けられるための深溝３２３が４カ所設けられている。図６に示す通り、深溝３２３は溝３２２の他の部分より深くなっている。挿入部３２４の中央部と深溝３２３の中央部のなす角度は４５°である。
【００４１】
フード２１０の爪部２１４を挿入部３２４と合わせ、フード２１０を右または左に回すと突起２１４Ｔが深溝３２３とかみ合わさる状態で止まる。そのためさらにロックするなどの作業は必須でない。これにより、フード２１０がバッフル３２０に固定されるとともに、フード２１０が振動などで不用意に回転し、爪部２１４が再び挿入部３２４の位置に来てフード２１０が脱落するのを防ぐことができる。
【００４２】
なお、本実施形態においては、溝の凸部の一部分をなくした挿入部を設けるともに深溝を設けたが、挿入部を設けるだけ、あるいは深溝を設けるだけとしてもよい。
【００４３】
挿入部は、溝の凸部の一部分をなくすのでなく、溝の凸部の高さを低くしてもよい。
【００４４】
挿入部３２４の数は爪の数あるいはその倍数とするのが好ましく、深溝３２３の数は挿入部の数又はその倍数とするのが好ましい。フード２１０の爪及び挿入部３２４の位置は、非対称な位置に設けても良く、その方が脱落をより防ぐことができる。
【００４５】
挿入部３２４の位置を示す印を灯体外側に設けてもよい。
【００４６】
＜４．実施形態４＞
実施形態４は、光制御部材がルーバ―付フード４１０であり、灯体１５０につけるものである。
【００４７】
ルーバ―付フードの斜視図である図７を参照して、ルーバ―付フード４１０は、円筒形のルーバ―板４１６、４１７およびルーバ―支持板４１８、上側部４１２、下側部４１３、爪部４１４、突起４１４Ｔなどを備える。フード４１０を灯体１５０側のバッフル１２０に取り付けることにより、斜め方向へ出射する光を抑えてグレアを抑え、照射角度が例えば１０度以下と狭角の照明器具を実現できる。
【００４８】
ルーバ―板は、円筒形としたが、平板とし、平板のルーバ―板を平行に並べてもよく、平板のルーバ板を縦・横方向にそれぞれ平行に並べてもよい。また正面から見てルーバ―板がハニカム形状に組み合わせたハニカムルーバ―としてもよい。
【００４９】
＜５．変形例＞
上述の実施形態において、爪の数は２本としたが、３本または４本などであってもよい。
【００５０】
上述の実施形態において、照明器具の形状は円筒状としたが、四角柱状など別の形状であってもよい。
【００５１】
光制御部材として、フード、バッフルの例を示したが、フィルター、光散乱板などであってもよい。
【００５２】
以上、本発明の主たる実施形態について説明したが、本発明は、上記の実施形態に限定されるものではない。
【符号の説明】
【００５３】
１００、２００、３００    照明器具
１１０、２１０、３１０    フード
４１０  ルーバ―付フード
１１１、２１１  フード内壁
１１２、２１２、４１２    上側部
１１３、２１３、４１３    下側部
１１４、２１４、４１４  爪部
１１４Ｔ、２１４Ｔ、４１４Ｔ  突起
１１４Ｆ  爪前面
１１４Ｒ  爪後面
１１５、２１５  スリット
４１６、４１７    ルーバ―板
４１８  ルーバ―支持板
１２０、２２０、３２０    バッフル
１２１、２２１  バッフル内壁
１２２、２２２、３２２  溝
１２２Ｆ  溝前面
１２２Ｒ  溝後面
３２３    深溝
３２４    挿入部
２２４    フィルター
２２５    オプション装着部
１３０、２３０    筐体
１３１、２３１    ミラー
１３２、２３２    レンズ
１３３、２３３    ＬＥＤ
１４０、２４０    ジョイント部
１５０、２５０    灯体
１６０、２６０    アーム
【図１】
2019029147.tif 000003
【図２】
2019029147.tif 000004
【図３】
2019029147.tif 000005
【図４】
2019029147.tif 000006
【図５】
2019029147.tif 000007
【図６】
2019029147.tif 000008
【図７】
2019029147.tif 000009